(57)【要約】【課題】容易に通信端末における無線ネットワーク設定を行なうことができる無線通信システム、無線通信方法、無線通信プログラムを提供することである。【解決課題】  第１の通信端末３００においては、無線ルータ２００に第２の通信端末４００の通信接続を確立するための通信要請情報が送信される。表示機能により無線ネットワーク機器からの通信接続情報を受信して表示部に通信接続情報が表示される。無線ネットワーク機器においては、第２送信機能により送信された通信要請情報に基づいて、第２の通信端末用の通信接続情報が送信される。【選択図】  図１
2014060624.tif 000002
【特許請求の範囲】
【請求項１】
無線ネットワーク機器と、
前記無線ネットワーク機器と通信接続された第１の通信端末と、
前記第１の通信端末と異なる第２の通信端末と、を含み、
前記第１の通信端末は、
前記無線ネットワーク機器に他の通信接続を確立するための通信要請情報を送信する第１送信機能を有し、
前記無線ネットワーク機器は、
前記送信された通信要請情報に基づいて、前記第２の通信端末用の前記通信接続情報を送信する第２送信機能を有することを特徴とする無線通信システム。
【請求項２】
前記通信要請情報は、
前記第２の通信端末と通信を行なう第２の通信端末接続情報がさらに含まれ、
前記第２送信機能は、前記第２の通信端末接続情報を用いて、前記第２の通信端末に前記通信接続情報を送信することを特徴とする請求項１記載の無線通信システム。
【請求項３】
前記第１の通信端末は、表示部を有し、
前記第２送信機能は、前記第２の通信端末接続情報を用いて、前記第２の通信端末に前記通信接続情報を送信するとともに、前記第１の通信端末に前記第２の通信端末に関する送信経過情報を送信し、
前記第１の通信端末は、前記通信経過情報を前記表示部に表示させることを特徴とする請求項２記載の無線通信システム。
【請求項４】
前記第１の通信端末は、表示部に接続可能に設けられ、
前記第２の通信端末は、撮像部を有し、
前記第１の通信端末は、前記無線ネットワーク機器からの通信接続情報を受信して前記表示部に対して前記通信接続情報を表示させる表示機能とを有することを特徴とする請求項１から３のいずれか１項に記載の無線通信システム。
【請求項５】
前記第１の通信端末は、前記表示部を内蔵することを特徴とする請求項４記載の無線通信システム。
【請求項６】
前記無線ネットワーク機器と通信接続され、かつ表示部に接続可能な第３の通信端末をさらに含み、
前記第２の通信端末は、撮像部を有し、
前記第３の通信端末は、前記無線ネットワーク機器からの通信接続情報を受信して前記表示部に対して前記通信接続情報を表示させる表示機能とを有することを特徴とする請求項１から４のいずれか１項に記載の無線通信システム。
【請求項７】
前記第３の通信端末は、前記表示部を内蔵することを特徴とする請求項６記載の無線通信システム。
【請求項８】
前記第２送信機能は、
前記無線ネットワーク機器と通信接続された前記第１の通信端末の設定接続と同一である通信接続情報を送信することを特徴とする請求項１から７のいずれか１項に記載の無線通信システム。
【請求項９】
前記表示機能は、
前記通信接続情報を受信して、画像情報として表示することを特徴とする請求項１から８のいずれか１項に記載の無線通信システム。
【請求項１０】
前記第１送信機能は、
制限付の通信要請情報を送信することを特徴とする請求項１から９のいずれか１項に記載の無線通信システム。
【請求項１１】
無線ネットワーク機器、前記無線ネットワーク機器に通信接続された第１の通信端末、および前記無線ネットワーク機器に未接続の第２の通信端末で用いられる無線通信方法であって、
前記第１の通信端末から前記無線ネットワーク機器へ第２の通信端末との接続を確立するための通信要請情報を送信する第１処理工程と、
前記第１処理工程による通信要請情報に基づいて、前記無線ネットワーク機器から前記第２の通信端末用の通信接続情報を送信する第２処理工程と、を含むことを特徴とする無線通信方法。
【請求項１２】
無線ネットワーク機器、前記無線ネットワーク機器に通信接続された第１の通信端末、および前記無線ネットワーク機器に未接続の第２の通信端末で用いられる無線通信方法であって、
前記第１の通信端末から前記無線ネットワーク機器へ第２の通信端末との接続を確立するための通信要請情報を送信する第１処理ステップと、
前記第１処理ステップによる通信要請情報に基づいて、前記無線ネットワーク機器から前記第２の通信端末用の通信接続情報を送信する第２処理ステップと、を含むことを特徴とする無線通信プログラム。
【発明の詳細な説明】
【技術分野】
【０００１】
本発明は、無線通信システム、無線通信方法および無線通信プログラムに関する。
【背景技術】
【０００２】
従来から、無線通信システムについて、特にユーザ観点の操作性が容易となるように種々の工夫が施されている。
【０００３】
特許文献１（特開２００８−２１１５０７号公報）には、無線通信装置間を無線によって新たに接続するとき、接続先の無線通信装置を簡単に認識し、接続できるようにする無線通信システムについて開示されている。
【０００４】
特許文献１（特開２００８−２１１５０７号公報）記載の無線通信システムにおいては、無線通信を行なう装置間で共有される接続情報を記憶し、当該接続情報に基づいて無線通信を行なう第１の無線通信部と、当該接続情報を音声および／または画像の接続情報パターンに変換する第１の制御部と、当該接続情報パターンを出力する出力部とを含む出力装置と、音声および／または画像を入力する入力部と、当該入力された音声および／または画像を解析し、当該入力された音声および／または画像が接続情報パターンである可能性があると判定すると、当該接続情報パターンを接続情報候補に再変換する第２の制御部と、当該接続情報候補に基づいて無線通信を試みる第２の無線通信部とを含む入力装置とを有するものである。
【先行技術文献】
【特許文献】
【０００５】
【特許文献１】特開２００８−２１１５０７号公報
【発明の概要】
【発明が解決しようとする課題】
【０００６】
特許文献１に示すように、無線通信システムにおいては、簡易に無線通信を行なうことが要望される。特許文献１記載の無線通信システムにおいては、初期の段階で無線通信を確立したい場合に有効である。
言い換えれば、特許文献１の無線通信システムにおいては、『通信接続情報を画像情報として表示する通信装置』が使用している通信接続情報と同じ通信接続情報を単に表示しているにすぎない。
そのため、新たに接続したい通信装置用の通信接続情報を、『通信接続情報を画像情報として表示する通信装置』が使用している通信接続情報と異なる通信接続情報とする事ができなかった。
【０００７】
しかしながら、近年、通信端末等の通信端末における進歩が目覚しく、知り合い同士が、通信端末を持ち寄り、ゲームまたはチャット等を行なう状況が増加している。その際に、『通信接続情報を画像情報として表示する通信装置』が使用している通信接続情報と同じ通信接続情報を用いた無線通信を行なうことは望ましくなく、一定の時間だけ等、知り合いの通信端末について、『通信接続情報を画像情報として表示する通信装置』が使用している通信接続情報と異なる通信接続情報を用いて、簡易に無線通信設定を行ないたいという要望がある。
【０００８】
本発明の目的は、容易に通信端末における無線ネットワーク設定を行なうことができる無線通信システム、無線通信方法、無線通信プログラムを提供することである。
【０００９】
（１）
一局面に従う無線通信システムは、無線ネットワーク機器と、無線ネットワーク機器と通信接続された第１の通信端末と、第１の通信端末と異なる第２の通信端末と、を含み、第１の通信端末は、無線ネットワーク機器に他の通信接続を確立するための通信要請情報を送信する第１送信機能を有し、無線ネットワーク機器は、送信された通信要請情報に基づいて、第２の通信端末用の通信接続情報を送信する第２送信機能を有するものである。
【００１０】
第１の通信端末においては、第１送信機能により無線ネットワーク機器に他の通信接続を確立するための通信要請情報が送信され、無線ネットワーク機器は、送信された通信要請情報に基づいて、第２の通信端末用の通信接続情報を送信する。
ここで、第１の通信端末とは、携帯電話、スマートフォン、据え置き型ゲーム機器、携帯型ゲーム機器、ネットワーク対応機器、ネットワークテレビ等を意味し、第２の通信端末とは、携帯電話、スマートフォン、据え置き型ゲーム機器、携帯型ゲーム機器、ネットワーク対応機器、ネットワークテレビ等を意味し、無線ネットワーク機器は、無線ローカルエリアネットワーク機器、無線ルータ等を意味する。
【００１１】
この場合、第２の通信端末用の通信接続情報が自動的に送信されるので、無線ネットワーク機器に触れることなく第２の通信端末の無線設定を行なうことができる。したがって、無線ネットワーク機器を部屋の目立つところに配設する必要がなくなる。
【００１２】
（２）
第２の発明にかかる無線通信システムは、一局面に従う無線通信システムにおいて、通信要請情報は、第２の通信端末と通信を行なう第２の通信端末接続情報がさらに含まれ、第２送信機能は、第２の通信端末接続情報を用いて、第２の通信端末に通信接続情報を送信してもよい。
また、第２の通信端末接続情報とは、第２の通信端末に関する無線通信のＳＳＩＤなどの識別情報、またはＷＥＰといった暗号化設定情報等、各種無線通信に関する情報を意味する。
【００１３】
この場合、通信要請情報に、第２の通信端末と通信を行なう第２の通信端末接続情報がさらに含まれているので、無線ネットワーク機器は、第２の通信端末に通信接続情報を送信することができる。
また、無線ネットワーク機器は、通信要請情報に応じて自動的に通信接続情報を送信できるので、通信接続を容易に行なうことができる。
【００１４】
（３）
第３の発明にかかる無線通信システムは、第２の発明にかかる無線通信システムにおいて、第１の通信端末は、表示部を有し、第２送信機能は、第２の通信端末接続情報を用いて、第２の通信端末に通信接続情報を送信するとともに、第１の通信端末に第２の通信端末に関する通信経過情報を送信し、第１の通信端末は、通信経過情報を表示部に表示させる。
ここで、通信経過情報とは、第２の通信端末が無線ネットワーク機器と接続を開始した、接続検索中、接続開始、接続中止、等を意味する。
また、表示部とは、モニター、液晶画面、モバイル端末、テレビ画像装置、パソコン画面等を意味する。
【００１５】
この場合、第１の通信端末の表示部を確認することにより、第２の通信端末と無線ネットワーク機器との通信状況を確認することができる。
【００１６】
（４）
第４の発明にかかる無線通信システムは、一局面に従う、第２または第３の発明にかかる無線通信システムにおいて、第１の通信端末は、表示部に接続可能に設けられ、第２の通信端末は、撮像部を有し、第１の通信端末は、無線ネットワーク機器からの通信接続情報を受信して表示部に対して通信接続情報を表示させる表示機能とを有してもよい。
【００１７】
この場合、第１の通信端末と接続可能に設けられた表示部に通信接続情報が表示されるので、第２の通信端末の撮像部を用いて撮像することにより、容易に第２の通信端末と、無線ネットワーク機器との無線接続を行なうことができる。
【００１８】
（５）
第５の発明にかかる無線通信システムは、第４の発明にかかる無線通信システムにおいて、第１の通信端末は、表示部を内蔵してもよい。
【００１９】
この場合、第１の通信端末は、表示部を内蔵しているので、第２の通信端末の撮像部を用いて撮像することにより、容易に第２の通信端末と、無線ネットワーク機器との無線接続を行なうことができる。
【００２０】
（６）
第６の発明にかかる無線通信システムは、一局面に従う、第２または第３の発明にかかる無線通信システムにおいて、無線ネットワーク機器と通信接続され、かつ表示部に接続可能な第３の通信端末をさらに含み、第２の通信端末は、撮像部を有し、第３の通信端末は、無線ネットワーク機器からの通信接続情報を受信して表示部に対して通信接続情報を表示させる表示機能とを有してもよい。
【００２１】
この場合、第３の通信端末と接続可能に設けられた表示部に通信接続情報が表示されるので、第２の通信端末の撮像部を用いて撮像することにより、容易に第２の通信端末と、無線ネットワーク機器との無線接続を行なうことができる。
【００２２】
（７）
第７の発明にかかる無線通信システムは、第６の発明にかかる無線通信システムにおいて、第３の通信端末は、表示部を内蔵してもよい。
【００２３】
この場合、第３の通信端末は、表示部を内蔵しているので、第２の通信端末の撮像部を用いて撮像することにより、容易に第２の通信端末と、無線ネットワーク機器との無線接続を行なうことができる。
【００２４】
（８）
第８の発明にかかる無線通信システムは、一局面に従う、第２から第７のいずれかの発明にかかる無線通信システムにおいて、第２送信機能は、無線ネットワーク機器と通信接続された第１の通信端末の設定接続と同一である通信接続情報を送信してもよい。
【００２５】
この場合、第１の通信端末と同じ設定で、第２の通信端末の設定を行なうことができる。その結果、ユーザが通信端末を複数所有する場合に容易に無線ネットワーク機器との通信設定を行なうことができる。すなわち、通信端末に同じ設定をフルコピーすることができる。
【００２６】
（９）
第９の発明にかかる無線通信システムは、第４から第８のいずれかの発明にかかる無線通信システムにおいて、表示機能は、通信接続情報を受信して、画像情報として表示してもよい。
【００２７】
この場合、第１の通信端末に通信接続情報を画像情報として表示するので、第２の通信端末の撮像部により撮像を行なって容易に通信設定を行なうことができる。例えば、画像情報として、バーコード、ＱＲコード（登録商標）等を用いることができる。
【００２８】
（１０）
第１０の発明にかかる無線通信システムは、一局面に従う、第２から第９の発明にかかる無線通信システムにおいて、第１送信機能は、制限付の通信要請情報を送信してもよい。
【００２９】
この場合、制限付の通信要請情報を送信することができるので、日時制限、曜日制限、時間制限、またはローカルエリア制限、インターネット接続制限（所謂、有害サイトまたは悪質サイトへのアクセスフィルタ）、等に応じた通信要請情報を送信し、夫々に応じた通信接続情報を第１の通信端末に表示させ、第２の通信端末の撮像部により撮像を行なって、所定の制限付きの通信設定を容易に行なうことができる。
【００３０】
（１１）
他の局面に従う無線通信方法は、無線ネットワーク機器、無線ネットワーク機器に通信接続された第１の通信端末、および無線ネットワーク機器に未接続の第２の通信端末で用いられる無線通信方法であって、第１の通信端末から無線ネットワーク機器へ第２の通信端末との接続を確立するための通信要請情報を送信する第１処理工程と、第１処理工程による通信要請情報に基づいて、無線ネットワーク機器から第２の通信端末用の通信接続情報を送信する第２処理工程と、を含むものである。
【００３１】
この無線通信方法においては、第１処理工程により第１の通信端末から無線ネットワーク機器へ他の通信接続を確立するための通信要請情報が送信される。第２処理工程により送信された通信要請情報に基づいて、第２の通信端末用の通信接続情報が送信される。
【００３２】
この場合、第２の通信端末用の通信接続情報が自動的に送信されるので、無線ネットワーク機器に触れることなく第２の通信端末の無線設定を行なうことができる。したがって、無線ネットワーク機器を部屋の目立つところに配設する必要がなくなる。
【００３３】
本発明にかかる無線通信方法は、他の局面に従う無線通信方法において、第１の通信端末の表示部に表示する表示処理と、第２の通信端末の撮像部による撮像処理と、を含み、表示処理は、無線ネットワーク機器からの通信接続情報を受信して表示部に対して通信接続情報を表示させてもよい。
【００３４】
（１２）
他の局面に従う無線通信プログラムは、無線ネットワーク機器、無線ネットワーク機器に通信接続された第１の通信端末、および無線ネットワーク機器に未接続の第２の通信端末で用いられる無線通信方法であって、第１の通信端末から無線ネットワーク機器へ第２の通信端末との接続を確立するための通信要請情報を送信する第１処理ステップと、第１処理ステップによる通信要請情報に基づいて、無線ネットワーク機器から第２の通信端末用の通信接続情報を送信する第２処理ステップと、を含むものである。
【００３５】
この無線通信プログラムにおいては、第１処理ステップにより第１の通信端末から無線ネットワーク機器へ他の通信接続を確立するための通信要請情報が送信される。第２処理ステップにより送信された通信要請情報に基づいて、第２の通信端末用の通信接続情報が送信される。
【００３６】
この場合、第２の通信端末用の通信接続情報が自動的に送信されるので、無線ネットワーク機器に触れることなく第２の通信端末の無線設定を行なうことができる。したがって、無線ネットワーク機器を部屋の目立つところに配設する必要がなくなる。
【００３７】
本発明にかかる無線通信プログラムは、他の局面に従う無線通信プログラムにおいて、第１の通信端末の表示部に表示する表示ステップと、第２の通信端末の撮像部による撮像ステップと、を含み、表示ステップは、無線ネットワーク機器からの通信接続情報を受信して表示部に対して通信接続情報を表示させてもよい。
【図面の簡単な説明】
【００３８】
【図１】無線通信システムの一例を示すための模式図である。
【図２】通信接続方法の一例を示すフローチャートである。
【図３】図２の各機器の接続順序を示す模式図である。
【図４】通信接続方法の他の例を示す模式図である。
【図５】第３の実施の形態にかかる無線通信システムの一例を示すための模式図である。
【図６】第４の実施の形態にかかる無線通信システムの一例を示すための模式図である。
【図７】通信接続方法の一例を示すフローチャートである。
【図８】図７の各機器の接続順序を示す模式図である。
【図９】第５の実施の形態にかかる無線通信システムの一例を示すための模式図である。
【図１０】第６の実施の形態にかかる無線通信システムの一例を示すための模式図である。
【図１１】第７の実施の形態にかかる無線通信システムの一例を示すための模式図である。
【図１２】通信接続方法の一例を示すフローチャートである。
【図１３】図１２の各機器の接続順序を示す模式図である。
【図１４】図１２の各機器の接続順序の他の例を示す模式図である。
【発明を実施するための形態】
【００３９】
（第１の実施の形態）
以下、本発明に係る第１の実施の形態について図面を用いて説明する。
図１は、無線通信システム１００の一例を示すための模式図である。
【００４０】
（無線通信システム１００概略）
図１に示すように、本実施の形態にかかる無線通信システム１００は、無線ルータ２００、第１の通信端末３００、表示装置３５０および第２の通信端末４００からなる。
【００４１】
具体的に、図１の無線通信システム１００において、無線ルータ２００および第１の通信端末３００は、所定のユーザが実際に使用している状態である。そして、第２の通信端末４００は、所定のユーザの友人または知り合いが所有しており、所定のユーザの友人または知り合いが所定のユーザの所に訪問した状態である。
【００４２】
（無線ルータ２００）
本実施の形態における無線ルータ２００は、屋内のＬＡＮ（Ｌｏｃａｌ  Ａｒｅａ  Ｎｅｔｗｏｒｋ）６００、ＷＡＮ（Ｗｉｄｅ  Ａｒｅａ  Ｎｅｔ  Ｗｏｒｋ）６５０、および外部のインターネット７００等に接続される。
なお、無線ルータ２００は各通信端末が使用するＩＰアドレスや、デフォルトゲートウェイアドレス等を割り当てることが可能なＤＨＣＰサーバ機能を持っていても良い。
【００４３】
（第１の通信端末３００）
図１に示すように、第１の実施の形態にかかる無線通信システム１００において、第１の通信端末３００は、据え置き型ゲーム機であり、表示装置３５０と接続される。また、第１の通信端末３００には、第１の通信端末３００を操作可能な操作部（コントローラ）３０１が接続されている。
【００４４】
なお、操作部（コントローラ）３０１は、有線接続により第１の通信端末３００に接続されていてもよく、赤外線通信またはブルートゥース（Ｂｌｕｅｔｏｏｔｈ（登録商標））等の無線通信によって接続されていてもよい。
【００４５】
また、第１の通信端末３００は、内蔵された無線ＬＡＮシステム３４０（図示略）により無線ルータ２００と通信可能な状態にネットワーク接続されている。例えば、本実施の形態における無線ルータ２００および第１の通信端末３００間は、共通のＳＳＩＤ（Ｓｅｒｖｉｃｅ  Ｓｅｔ  Ｉｄｅｎｔｉｆｉｅｒ）、および暗号化ＷＥＰ（Ｗｉｒｅｄ  Ｅｑｕｉｖａｌｅｎｔ  Ｐｒｉｖａｃｙ：規格ＩＥＥＥ８０２．１１ｂ／ＩＥＥＥ８０２．１１ａ）を使用して接続されている。
【００４６】
（第２の通信端末４００）
図１に示すように、第１の実施の形態における第２の通信端末４００は、携帯型ゲーム機である。第２の通信端末４００は、カメラ４１０、表示部４２０、および無線ＬＡＮシステム４４０（図示略）を含む。
なお、第２の通信端末４００は、携帯電話またはスマートフォン等であってもよい。
【００４７】
（通信接続方法：所定のユーザおよび所定のユーザの友人）
次いで、第１の実施の形態にかかる通信接続方法について説明を行なう。図２は、通信接続方法の一例を示すフローチャートであり、図３は図２の各機器の接続順序を示す模式図である。
【００４８】
図２および図３に示すように、所定のユーザは、所定のユーザの友人または知り合いが来たときに、据え置き型ゲーム装置である第１の通信端末３００に接続された操作部（コントローラ）３０１を操作する。
第１の通信端末３００は、無線ルータ２００に対して通信要請情報を送信する（ステップＳ１）。この場合、コントローラ３０１の操作状況は、第１の通信端末３００に接続された表示装置３５０の画面３５１に表示される。所定のユーザは、通信要請情報に種々の情報および条件を選択して含めることができる。当該種々の情報および条件については後述する。
【００４９】
なお、第１の通信端末３００が無線ルータ２００へ通信要請情報を送信する場合に使用する無線ルータ２００のアドレス情報は、第１の端末３００に予め登録しておいても良いし、第１の通信端末３００に設定されたデフォルトゲートウェイアドレスを無線ルータ２００のアドレスとしても良いし、第１の通信端末３００から通信要請情報をブロードキャスト通信によって送信しても良い。
【００５０】
無線ルータ２００は、通信要請情報を受信し、通信接続情報を第１の通信端末３００に送信する（ステップＳ２）。
第１の通信端末３００は、送信された通信接続情報をＱＲコード（登録商標）に変換（画像表示処理）し、表示装置３５０に表示する（ステップＳ３）。
なお、ＱＲコード（登録商標）に含まれる通信接続情報には、無線設定用のＳＳＩＤ、暗号化設定情報などの無線ルータ２００との通信に使用する設定情報が含まれる。
【００５１】
また、無線ルータ２００はＳＳＩＤを発行する際、通信要請情報に対応した複数のＳＳＩＤを発行してもよい（所謂、マルチＳＳＩＤ）。
さらに、通信要請情報に暗号化設定情報を生成して付加する際、例えば乱数を使用して生成、または、通信要請情報を受信したときの時刻情報を利用して生成してもよい。
そして、無線ルータ２００は、無線ルータ２００との通信に使用する各設定情報と、ＳＳＩＤおよび暗号化設定情報等とを対応付けて管理および記録する。
【００５２】
そして、所定のユーザは、所定の友人または知り合いの所有する第２の通信端末４００により、表示装置３５０に表示されたＱＲコード（登録商標）をカメラ４１０により撮像する。
【００５３】
それにより、第２の通信端末４００は、撮像したＱＲコード（登録商標）を解析し、通信接続情報を取得する（ステップＳ４）。そして、第２の通信端末４００は、ＱＲコード（登録商標）を解析して得た通信接続情報を使用して、無線ルータ２００との接続を開始する（ステップＳ５）。
【００５４】
＜通信要請情報＞
ここで、通信要請情報の詳細について説明を行なう。
上述したように、所定のユーザは、通信要請情報に種々の情報および条件を含めることができる。所定のユーザは、操作部（コントローラ）３０１を操作し、表示装置３５０の画面３５１に表示された種々の情報および条件を選択する。すなわち、所定のユーザが接続制限または／および時間制限の有無を組み合わせて、または組み合わせないようにして選択することができる。
【００５５】
＜時間制限付＞
ここで、所定のユーザは、所定のユーザの友人または知り合いに対して、所定の時間だけ接続させて、その後は、接続させたくない場合もある。例えば、「１８時までは接続可能、１８時以降は接続不可」などである。この場合、所定のユーザは、ステップＳ１の処理の際に、所定の時間だけ接続する時間制限付の通信要請情報を送信することもできる。また、その他、曜日制限付の通信要請情報を送信してもよい。
例えば、時間制限付きの通信要請情報を受信した無線ルータ２００は、制限付きのＳＳＩＤ等の通信接続情報を第１の通信端末３００に送信し、所定の時間後に、第２の通信端末４００との通信接続情報を無効にする。
その他にも、例えば、無線ルータ２００は第２の通信端末４００との間の無線通信リンクが、所定時間切れた場合、その通信接続情報を無効にする。
【００５６】
その結果、この通信接続情報を利用して無線ルータ２００にアクセスする所定のユーザの友人または知り合いは、所定の時間、例えば１８時まで無線ルータ２００に接続することができる。また、所定のユーザの友人または知り合いが帰宅した場合（リンクが所定時間切れた場合）、無線ルータ２００は自動的に通信接続情報を無効とし、所定のユーザの友人又は知り合いが使用している第２の通信端末４００に接続され続けないようにすることができる。
【００５７】
＜接続制限付＞
また、所定のユーザは、所定のユーザの友人または知り合いに対して、ＬＡＮ６００内に入られたくない場合もある。すなわち、ＬＡＮ６００上には、所定のユーザ用のパソコン（クライアント端末）などが接続されている場合もある。
したがって、所定のユーザの友人または知り合いがＬＡＮ６００内に入れないように、制限をかけたい場合がある。
【００５８】
この場合、所定のユーザは、ステップＳ１の処理の際に、ＬＡＮ６００には接続できない接続制限付の通信要請情報を送信することもできる。
具体的には、接続制限付の通信要請情報を受信した無線ルータ２００は、制限付きのＳＳＩＤ等の通信接続情報を第１の通信端末３００に送信し、この通信接続情報を使用した無線ルータ２００へのアクセスがあった場合、無線ルータ２００は、その通信信号をＷＡＮ６５０およびインターネット７００側には通過させるが、ＬＡＮ６００側には通過させない制御を行なう。
【００５９】
また、所定のユーザは、所定のユーザの友人または知り合いに対して、インターネット７００側へのアクセスは許可する。しかし、有害サイトへのアクセスに関してはフィルタリングしたい場合もある。その場合、この通信接続情報を使用したアクセスに対しては、無線ルータ２００は、有害サイトまたは悪質サイト（特定のキーワード検索を含む）へのアクセスに対してブロックするフィルタリング機能を有効にする。
【００６０】
また、所定のユーザは、所定のユーザの友人または知り合いに対して、無線ルータ２００の設定の設定画面を表示させたくない場合もある。その場合、アクセスできないように制御すればよい。
【００６１】
（第２の実施の形態）
続いて、第２の実施の形態について説明を行なう。図４は、第２の実施の形態にかかる無線通信システム１００ａの一例を示すための模式図である。
【００６２】
以下、第２の実施の形態においては、第１の実施の形態にかかる無線通信システム１００と異なる点について主に説明を行なう。なお、第２の実施の形態において第１の実施の形態にかかる無線通信システム１００と同符号（符号に付加されたアルファベットは実施の形態を示し、基本的に数字が同符号）のものは、ほぼ同じ機能を有するため、説明を省略する。
【００６３】
（無線通信システム１００ａ概略）
図４に示すように、第２の実施の形態にかかる無線通信システム１００ａは、無線ルータ２００、第１の通信端末３００ａおよび第２の通信端末４００ａからなる。また、第２の実施の形態においては、無線通信システム１００にさらに、電話回線８００を備える。
【００６４】
（第１の通信端末３００ａ）
図４に示すように、第２の実施の形態係る無線通信システム１００ａにおいて、第１の通信端末３００ａは、ネットワーク対応型のテレビであり、リモコン（コントローラ）３０１ａと接続される。当然ながら図示していないが、ネットワーク対応型のテレビには、放送を受信するチューナーおよびアンテナ等が内蔵されている。
なお、リモコン（操作部、コントローラ）３０１ａは、有線接続により第１の通信端末３００ａに接続されていてもよく、赤外線通信またはブルートゥース（Ｂｌｕｅｔｏｏｔｈ（登録商標））等の無線通信によって接続されていてもよい。
【００６５】
また、第１の通信端末３００ａは、第１の実施の形態と同様に、無線ルータ２００と通信可能な状態にネットワーク接続されている。
【００６６】
（第２の通信端末４００ａ）
図４に示すように、第２の実施の形態における第２の通信端末４００ａは、スマートフォンである。第２の通信端末４００ａは、カメラ４１０ａ、タッチパネル付表示部４２０ａ、および無線ＬＡＮシステム４４０（図示略）を含む。また、第２の通信端末４００ａは、インターネット７００、および電話回線８００等に接続される。
なお、第２の通信端末４００ａは、携帯電話または携帯型ゲーム機等であってもよい。
【００６７】
（通信接続方法：所定のユーザおよび所定のユーザの友人）
次いで、第２の実施の形態にかかる通信接続方法について説明を行なう。第２の実施の形態にかかる通信接続方法は、図２および図３を用いて説明を行なう。
【００６８】
所定のユーザは、所定のユーザの友人または知り合いが来たときに、ネットワーク対応型のテレビである第１の通信端末３００ａに接続されたリモコン（操作部、コントローラ）３０１ａを操作する。
第１の通信端末３００ａは、無線ルータ２００に対して通信要請情報を送信する（ステップＳ１）。この場合、コントローラ３０１ａの操作状況は、第１の通信端末３００ａの画面３５１ａに表示される。所定のユーザは、通信要請情報に種々の情報および条件を選択して含めることができる。
【００６９】
無線ルータ２００は、通信要請情報を受信し、通信接続情報を第１の通信端末３００ａに送信する（ステップＳ２）。
第１の通信端末３００ａは、送信された通信接続情報をＱＲコード（登録商標）に変換（画像表示処理）し、画面３５１ａに表示する。（ステップＳ３）。
なお、ＱＲコード（登録商標）に含まれる通信接続情報には、無線設定用のＳＳＩＤ、暗号化設定情報などの無線ルータ２００との通信に使用する設定情報が含まれる。
【００７０】
そして、所定のユーザは、所定の友人または知り合いの所有する第２の通信端末４００ａにより、画面３５１ａに表示されたＱＲコード（登録商標）をカメラ４１０ａにより撮像する。
【００７１】
それにより、第２の通信端末４００ａは、撮像したＱＲコード（登録商標）を解析し、通信接続情報を取得する（ステップＳ４）。そして、第２の通信端末４００ａは、ＱＲコード（登録商標）を解析して得た通信接続情報を使用して、無線ルータ２００との接続を開始する（ステップＳ５）。
【００７２】
なお、第２の通信端末４００ａが赤外線通信機能またはＢｌｕｅｔｏｏｔｈ（登録商標）通信など、第１の通信端末３００ａと１対１の通信に対応可能な場合、第１の通信端末３００ａを操作するコントローラ３０１ａの代わりに、第２の通信端末４００ａを利用してもよい。
【００７３】
（第３の実施の形態）
続いて、第３の実施の形態について説明を行なう。図５は、第３の実施の形態にかかる無線通信システム１００ｂの一例を示すための模式図である。
【００７４】
以下、第３の実施の形態においては、第１の実施の形態にかかる無線通信システム１００と異なる点について主に説明を行なう。なお、第３の実施の形態において第１の実施の形態にかかる無線通信システム１００と同符号のものは、同じ機能を有するため、説明を省略する。
【００７５】
（無線通信システム１００ｂ概略）
図５に示すように、第３の実施の形態にかかる無線通信システム１００ｂは、無線ルータ２００、第１の通信端末３００ｂおよび第２の通信端末４００ｂからなる。
【００７６】
（第１の通信端末３００ｂ）
図５に示すように、第３の実施の形態係る無線通信システム１００ｂにおいて、第１の通信端末３００ｂは、スマートフォンである。第１の通信端末３００ｂは、カメラ３１０ｂ、タッチパネル付表示部３２０ｂ、および無線ＬＡＮシステム３４０（図示略）を含む。
また、第１の通信端末３００ｂは、第１の実施の形態と同様に、無線ルータ２００と通信可能な状態にネットワーク接続されている。第１の通信端末３００は、インターネット７００、および電話回線８００等に接続される。
【００７７】
（第２の通信端末４００ｂ）
図５に示すように、第２の実施の形態における第２の通信端末４００ｂは、スマートフォンである。第２の通信端末４００ｂは、カメラ４１０ｂ、タッチパネル付表示部４２０ｂ、および無線ＬＡＮシステム４４０（図示略）を含む。
なお、第２の通信端末４００ｂは、携帯電話または携帯型ゲーム機等であってもよい。
【００７８】
（通信接続方法：所定のユーザおよび所定のユーザの友人）
次いで、第３の実施の形態にかかる通信接続方法について説明を行なう。第３の実施の形態にかかる通信接続方法は、図２および図３を用いて説明を行なう。
【００７９】
所定のユーザは、所定のユーザの友人または知り合いが来たときに、スマートフォンである第１の通信端末３００ｂのタッチパネル付表示部３２０ｂに通信要請情報に関する表示がされ、所定のユーザがタッチパネル付表示部３２０ｂを操作して、通信要請情報の選択を行なう。
第１の通信端末３００ｂは、無線ルータ２００に対して通信要請情報を送信する（ステップＳ１）。この場合、所定のユーザは、通信要請情報に種々の情報および条件を選択して含めることができる。
【００８０】
無線ルータ２００は、通信要請情報を受信し、通信接続情報を第１の通信端末３００ｂに送信する（ステップＳ２）。
第１の通信端末３００ｂは、送信された通信接続情報をＱＲコード（登録商標）に変換（画像表示処理）し、タッチパネル付表示部３２０ｂに表示する。（ステップＳ３）。
【００８１】
そして、所定のユーザは、所定の友人または知り合いの所有する第２の通信端末４００ｂにより、タッチパネル付表示部３２０ｂに表示されたＱＲコード（登録商標）をカメラ４１０ｂにより撮像する。
【００８２】
それにより、第２の通信端末４００ｂは、撮像したＱＲコード（登録商標）を解析し、通信接続情報を取得する（ステップＳ４）。そして、第２の通信端末４００ｂは、ＱＲコード（登録商標）を解析して得た通信接続情報を使用して、無線ルータ２００との接続を開始する（ステップＳ５）。
【００８３】
なお、第２の通信端末４００ｂが赤外線通信機能またはＢｌｕｅｔｏｏｔｈ（登録商標）通信、ＷＩＦＩ、電話回線通信など、第１の通信端末３００ｂと１対１の通信に対応可能な場合、第１の通信端末３００ｂから直接的に第２の通信端末４００ｂに通信接続情報を送信してもよい。
【００８４】
（第４の実施の形態）
続いて、第４の実施の形態について説明を行なう。図６は、第４の実施の形態にかかる無線通信システム１００ｃの一例を示すための模式図である。
【００８５】
以下、第４の実施の形態においては、第１の実施の形態にかかる無線通信システム１００と異なる点について主に説明を行なう。なお、第４の実施の形態において第１の実施の形態にかかる無線通信システム１００と同符号のものは、同じ機能を有するため、説明を省略する。
【００８６】
（無線通信システム１００ｃ概略）
図６に示すように、第４の実施の形態にかかる無線通信システム１００ｃは、無線ルータ２００、第１の通信端末３００ｃ、第２の通信端末４００ｃおよび第３の通信端末５００ｃからなる。
【００８７】
（第１の通信端末３００ｃ）
図６に示すように、第４の実施の形態係る無線通信システム１００ｃにおいて、第１の通信端末３００ｃは、スマートフォンである。第１の通信端末３００ｃは、カメラ３１０ｃ、タッチパネル付表示部３２０ｃ、および無線ＬＡＮシステム３４０（図示略）を含む。また、第１の通信端末３００ｃは、第１の実施の形態と同様に、無線ルータ２００と通信可能な状態にネットワーク接続されている。
【００８８】
（第２の通信端末４００ｃ）
図６に示すように、第４の実施の形態における第２の通信端末４００ｃは、携帯型ゲーム機である。第２の通信端末４００ｃは、カメラ４１０ｃ、表示部４２０ｃ、および無線ＬＡＮシステム４４０（図示略）を含む。
なお、第２の通信端末４００ｃは、携帯電話またはスマートフォン等であってもよい。
【００８９】
（第３の通信端末５００ｃ）
図６に示すように、第４の実施の形態における第３の通信端末５００ｃは、据え置き型ゲーム機であり、表示装置５５０ｃと接続される。また、第３の通信端末５００ｃには、第３の通信端末５００ｃを操作可能な操作部（コントローラ）５０１ｃが接続されている。
なお、図６の第３の通信端末５００ｃは、第１の通信端末３００ｃと同様に無線ルータ２００と通信可能な状態にネットワーク接続されている。
【００９０】
（通信接続方法：所定のユーザおよび所定のユーザの友人）
次いで、第４の実施の形態にかかる通信接続方法について説明を行なう。第４の実施の形態にかかる通信接続方法は、図７および図８を用いて説明を行なう。
【００９１】
所定のユーザは、所定のユーザの友人または知り合いが来たときに、スマートフォンである第１の通信端末３００ｃのタッチパネル付表示部３２０ｃに通信要請情報に関する表示がされ、所定のユーザがタッチパネル付表示部３２０ｃを操作して、通信要請情報の選択を行なう。
第１の通信端末３００ｃは、無線ルータ２００に対して通信要請情報に第３の通信端末５００ｃを示すアドレス情報を付加し、送信する（ステップＳ１１）。この場合、所定のユーザは、通信要請情報に種々の情報および条件を選択して含めることができる。
なお、第３の通信端末５００ｃを示すアドレス情報は、例えば、ＭＡＣアドレスであり、第１の通信端末３００ｃはその情報をＢｌｕｅｔｏｏｔｈ（登録商標）通信または赤外線通信などの無線通信、画像化されたアドレス情報の撮像、ユーザによる手入力などにより、事前に登録しておけば良い。
【００９２】
無線ルータ２００は、通信要請情報を受信し、通信接続情報を第３の通信端末５００ｃに送信する（ステップＳ１２）。
また、無線ルータ２００は、第３の通信端末５００ｃを示すアドレス情報に基づいて、第３の通信端末５００ｃに対して通信接続情報を送信してもよいし、予め無線ルータ２００に第３の通信端末５００ｃを示すアドレス情報を記録し、そのアドレス情報を元に通信接続情報を送信してもよい。
【００９３】
また、第３の通信端末５００ｃは、送信された通信接続情報をＱＲコード（登録商標）に変換（画像表示処理）し、表示装置５５０ｃに表示する。（ステップＳ１３）。
【００９４】
そして、所定のユーザは、所定の友人または知り合いの所有する第２の通信端末４００ｃにより、表示装置５５０ｃの画面５５１ｃに表示されたＱＲコード（登録商標）をカメラ４１０ｃにより撮像する。
【００９５】
それにより、第２の通信端末４００ｃは、撮像したＱＲコード（登録商標）を解析し、通信接続情報を取得する（ステップＳ１４）。そして、第２の通信端末４００ｃは、ＱＲコード（登録商標）を解析して得た通信接続情報を使用して、無線ルータ２００との接続を開始する（ステップＳ１５）。
【００９６】
なお、第１の通信端末３００ｃにチェックボックスを表示させて、当該チェックボックスをチェックすることにより、ステップＳ１２の処理を実行させてもよい。
【００９７】
（第５の実施の形態）
続いて、第５の実施の形態について説明を行なう。図９は、第５の実施の形態にかかる無線通信システム１００ｄの一例を示すための模式図である。
【００９８】
以下、第５の実施の形態においては、第４の実施の形態にかかる無線通信システム１００ｃと異なる点について主に説明を行なう。なお、第５の実施の形態において第４の実施の形態にかかる無線通信システム１００ｃと同符号のものは、同じ機能を有するため、説明を省略する。
【００９９】
（無線通信システム１００ｄ概略）
図９に示すように、第５の実施の形態にかかる無線通信システム１００ｄは、無線ルータ２００、第１の通信端末３００ｄ、第２の通信端末４００ｄおよび第３の通信端末５００ｄからなる。
【０１００】
（第１の通信端末３００ｄ）
図９に示すように、第５の実施の形態係る無線通信システム１００ｄにおいて、第１の通信端末３００ｄは、スマートフォンである。第１の通信端末３００ｄは、カメラ３１０ｄ、タッチパネル付表示部３２０ｄ、および無線ＬＡＮシステム３４０（図示略）を含む。また、第１の通信端末３００ｄは、第４の実施の形態と同様に、無線ルータ２００と通信可能な状態にネットワーク接続されている。
【０１０１】
（第２の通信端末４００ｄ）
図９に示すように、第５の実施の形態における第２の通信端末４００ｄは、スマートフォンである。第２の通信端末４００ｄは、カメラ４１０ｄ、タッチパネル付表示部４２０ｄ、および無線ＬＡＮシステム４４０（図示略）を含む。なお、第２の通信端末４００ｄは、携帯電話または携帯型ゲーム機等であってもよい。
【０１０２】
（第３の通信端末５００ｄ）
図９に示すように、第５の実施の形態における第３の通信端末５００ｄは、ネットワーク対応型のテレビであり、リモコン（操作部、コントローラ）５２０ｄと接続される。当然ながら図示していないが、ネットワーク対応型のテレビには、放送を受信するチューナーおよびアンテナ等が内蔵されている。
なお、リモコン（操作部、コントローラ）５２０ｄは、有線接続により第１の通信端末３００ｄに接続されていてもよく、赤外線通信またはブルートゥース（Ｂｌｕｅｔｏｏｔｈ（登録商標））等の無線通信によって接続されていてもよい。
【０１０３】
なお、図９の第３の通信端末５００ｄは、第１の通信端末３００ｄと同様に無線ルータ２００と通信可能な状態にネットワーク接続されている。
【０１０４】
（通信接続方法：所定のユーザおよび所定のユーザの友人）
次いで、第５の実施の形態にかかる通信接続方法について説明を行なう。第５の実施の形態にかかる通信接続方法は、図７および図８を用いて説明を行なう。
【０１０５】
所定のユーザは、所定のユーザの友人または知り合いが来たときに、スマートフォンである第１の通信端末３００ｄのタッチパネル付表示部３２０ｄに通信要請情報に関する表示がされ、所定のユーザがタッチパネル付表示部３２０ｄを操作して、通信要請情報の選択を行なう。
第１の通信端末３００ｄは、無線ルータ２００に対して通信要請情報に第３の通信端末５００ｄを示すアドレス情報を付加し、送信する（ステップＳ１１）。この場合、所定のユーザは、通信要請情報に種々の情報および条件を選択して含めることができる。
【０１０６】
無線ルータ２００は、通信要請情報を受信し、通信接続情報を第３の通信端末５００ｄに送信する（ステップＳ１２）。
また、無線ルータ２００は、第３の通信端末５００ｄを示すアドレス情報に基づいて、第３の通信端末５００ｄに対して通信接続情報を送信してもよいし、予め無線ルータ２００に第３の通信端末５００ｄを示すアドレス情報を記録し、そのアドレス情報を元に通信接続情報を送信してもよい。
【０１０７】
また、第３の通信端末５００ｄは、送信された通信接続情報をＱＲコード（登録商標）に変換（画像表示処理）し、画面５１０ｄに表示する。（ステップＳ１３）。
【０１０８】
そして、所定のユーザは、所定の友人または知り合いの所有する第２の通信端末４００ｄにより、画面５１０ｄに表示されたＱＲコード（登録商標）をカメラ４１０ｄにより撮像する。
【０１０９】
それにより、第２の通信端末４００ｄは、撮像したＱＲコード（登録商標）を解析し、通信接続情報を取得する（ステップＳ１４）。そして、第２の通信端末４００ｄは、ＱＲコード（登録商標）を解析して得た通信接続情報を使用して、無線ルータ２００との接続を開始する（ステップＳ１５）。
【０１１０】
（第６の実施の形態）
続いて、第６の実施の形態について説明を行なう。図１０は、第６の実施の形態にかかる無線通信システム１００ｅの一例を示すための模式図である。
【０１１１】
以下、第６の実施の形態においては、第４の実施の形態にかかる無線通信システム１００ｃと異なる点について主に説明を行なう。なお、第６の実施の形態において第４の実施の形態にかかる無線通信システム１００ｃと同符号のものは、同じ機能を有するため、説明を省略する。
【０１１２】
（無線通信システム１００ｅ概略）
図１０に示すように、第６の実施の形態にかかる無線通信システム１００ｅは、無線ルータ２００、第１の通信端末３００ｅ、第２の通信端末４００ｅおよび第３の通信端末５００ｅからなる。
【０１１３】
（第１の通信端末３００ｅ）
図１０に示すように、第６の実施の形態係る無線通信システム１００ｅにおいて、第１の通信端末３００ｅは、スマートフォンである。第１の通信端末３００ｅは、カメラ３１０ｅ、タッチパネル付表示部３２０ｅ、および無線ＬＡＮシステム３４０（図示略）を含む。また、第１の通信端末３００ｅは、第４の実施の形態と同様に、無線ルータ２００と通信可能な状態にネットワーク接続されている。
【０１１４】
（第２の通信端末４００ｅ）
図１０に示すように、第６の実施の形態における第２の通信端末４００ｅは、スマートフォンである。第２の通信端末４００ｅは、カメラ４１０ｅ、タッチパネル付表示部４２０ｅ、および無線ＬＡＮシステム４４０（図示略）を含む。なお、第２の通信端末４００ｅは、携帯電話または携帯型ゲーム機等であってもよい。
【０１１５】
（第３の通信端末５００ｅ）
図１０に示すように、第６の実施の形態における第３の通信端末５００ｅは、スマートフォンであり、カメラ５１０ｅ、タッチパネル付表示部５２０ｅ、および無線ＬＡＮシステム５４０（図示略）を含む。なお、第３の通信端末５００ｅは、携帯電話または携帯型ゲーム機等であってもよい。
【０１１６】
なお、図１０の第３の通信端末５００ｅは、第１の通信端末３００ｅと同様に無線ルータ２００と通信可能な状態にネットワーク接続されている。
【０１１７】
（通信接続方法：所定のユーザおよび所定のユーザの友人）
次いで、第６の実施の形態にかかる通信接続方法について説明を行なう。第６の実施の形態にかかる通信接続方法は、図７および図８を用いて説明を行なう。
【０１１８】
所定のユーザは、所定のユーザの友人または知り合いが来たときに、スマートフォンである第１の通信端末３００ｅのタッチパネル付表示部３２０ｅに通信要請情報に関する表示がされ、所定のユーザがタッチパネル付表示部３２０ｅを操作して、通信要請情報の選択を行なう。
第１の通信端末３００ｅは、無線ルータ２００に対して通信要請情報に第３の通信端末５００ｅを示すアドレス情報を付加し、送信する（ステップＳ１１）。この場合、所定のユーザは、通信要請情報に種々の情報および条件を選択して含めることができる。
【０１１９】
無線ルータ２００は、通信要請情報を受信し、通信接続情報を第３の通信端末５００ｅに送信する（ステップＳ１２）。
また、無線ルータ２００は、第３の通信端末５００ｅを示すアドレス情報に基づいて、第３の通信端末５００ｅに対して通信接続情報を送信してもよいし、予め無線ルータ２００に第３の通信端末５００ｅを示すアドレス情報を記録し、そのアドレス情報を元に通信接続情報を送信してもよい。
【０１２０】
また、第３の通信端末５００ｅは、送信された通信接続情報をＱＲコード（登録商標）に変換（画像表示処理）し、タッチパネル付表示部５２０ｅに表示する（ステップＳ１３）。
【０１２１】
そして、所定のユーザは、所定の友人または知り合いの所有する第２の通信端末４００ｅのカメラ４１０ｅにより、タッチパネル付表示部５２０ｅに表示されたＱＲコード（登録商標）をカメラ４１０ｅにより撮像する。
【０１２２】
それにより、第２の通信端末４００ｅは、撮像したＱＲコード（登録商標）を解析し、通信接続情報を取得する（ステップＳ１４）。そして、第２の通信端末４００ｅは、ＱＲコード（登録商標）を解析して得た通信接続情報を使用して、無線ルータ２００との接続を開始する（ステップＳ１５）。
【０１２３】
（第７の実施の形態）
続いて、第７の実施の形態について説明を行なう。図１１は、第７の実施の形態にかかる無線通信システム１００ｆの一例を示すための模式図である。
【０１２４】
（無線通信システム１００ｆ概略）
図１１に示すように、第７の実施の形態にかかる無線通信システム１００ｆは、無線ルータ２００、第１の通信端末３００ｆおよび第２の通信端末４００ｆからなる。
【０１２５】
（第１の通信端末３００ｆ）
図１１に示すように、第７の実施の形態係る無線通信システム１００ｆにおいて、第１の通信端末３００ｆは、スマートフォンである。第１の通信端末３００ｆは、カメラ３１０ｆ、タッチパネル付表示部３２０ｆ、および無線ＬＡＮシステム３４０（図示略）を含む。また、第１の通信端末３００ｆは、第４の実施の形態と同様に、無線ルータ２００と通信可能な状態にネットワーク接続されている。
【０１２６】
（第２の通信端末４００ｆ）
図１１に示すように、第７の実施の形態における第２の通信端末４００ｆは、スマートフォンである。第２の通信端末４００ｆは、カメラ４１０ｆ、タッチパネル付表示部４２０ｆ、および無線ＬＡＮシステム４４０（図示略）を含む。なお、第２の通信端末４００ｆは、携帯電話または携帯型ゲーム機等であってもよい。
また、第２の通信端末４００ｆは、既に第１の通信端末からの無線ルータ２００に対して送信された通信要請情報に従った通信接続情報によって、無線ルータ２００との通信が確立されている。
【０１２７】
（通信接続方法：所定のユーザおよび所定のユーザの友人）
次いで、第７の実施の形態にかかる通信接続方法について説明を行なう。第７の実施の形態にかかる通信接続方法は、図１２および図１３を用いて説明を行なう。
【０１２８】
所定のユーザは、既に確立されている無線ルータ２００と第２の通信端末４００ｆとの通信の制限情報を変更したい場合、スマートフォンである第１の通信端末３００ｆのタッチパネル付表示部３２０ｆに既に通信が確立されている通信要請情報に関する表示がされ、所定のユーザがタッチパネル付表示部３２０ｆを操作して、通信要請情報の選択、変更を実施し、既に確立している通信に対する変更依頼を行なう。
第１の通信端末３００ｆは、無線ルータ２００に対して変更された通信要請情報を送信する（ステップＳ２１）。この場合、所定のユーザは、通信要請情報に種々の情報および条件を選択して含めることができる。
【０１２９】
無線ルータ２００は、通信要請情報を受信し、変更された通信接続情報を第２の通信端末４００ｆに送信する（ステップＳ２２）。
そして、元の通信接続情報を所定時間後に無効とする。さらに、変更された通信接続情報が無効となった場合、元の通信接続情報に戻してもよい。
例えば、子供がゲームを行なう場合において、普段、親からインターネットの使用は、１２時から１８時までと制限されているが、誕生日などの特別な日に１２時から２２時まで制限を広げる、でも、明日からはまた１２時から１８時までの制限に戻すという状況が想定される。
【０１３０】
また、第２の通信端末４００ｆは、送信された通信接続情報をタッチパネル付表示部４２０ｆに通信接続可能か否かを表示し、通信接続可能が選択された場合に、無線ルータ２００との接続を開始する（ステップＳ２５）。
【０１３１】
なお、本実施の形態においては、通信接続可能か否かをタッチパネル付表示部４２０ｆに表示させることとしたが、これに限定されず、強制的に無線ルータ２００との接続を開始させてもよい。
また、無線ルータ２００が変更された通信要請信号に従った通信接続情報を第２の通信端末４００ｆに送信することとしたが、これに限定されず、通信接続情報を通信端末４００ｆに送信すること無く、既に確立済みの通信に対して、変更された通信要請情報に従った制限情報を強制的に付加することとしてもよい。この場合、カメラ４１０ｆによる撮像処理が必要なくなり、手間を省くことができる。
【０１３２】
また、第１の通信端末３００ｆに無線ルータ２００と第２の通信端末４００ｆとの接続状況を通知してもよい。
さらに、所定のユーザが２台の通信端末を所有する場合もある。この場合、通信要請情報は、第１の通信端末３００ｆと同じ通信接続情報を要求する通信要請情報を無線ルータ２００に送信する。無線ルータ２００からは、通信接続情報として第１の通信端末３００ｆと同じ通信情報が送信される事になるため、第１の通信端末３００ｆと同じ設定で、第２の通信端末４００ｆの設定を行なうことができる。その結果、所定のユーザが通信端末を複数所有する場合に容易に無線ルータ２００との通信設定を行なうことができる。すなわち、通信端末に同じ設定をフルコピーすることができる。なお、第１の通信端末３００ｆは、第１の通信端末３００ｆと同じ設定をタッチパネル付表示部３２０ｆに表示する場合、通信要請情報を無線ルータ２００に送信せず、自身の設定情報を表示してもよい。
【０１３３】
また、図１４に示すように、所定のユーザの第１の通信端末と、知り合いのユーザの第２の通信端末とが、電話回線、メール、ＳＭＳ、ＭＭＳ等で通信可能な場合、第１の通信端末から、無線ルータ２００に上記第２の通信端末の電話回線、メール、ＳＭＳ、ＭＭＳ等の情報を通信要請情報とあわせて送信する。その後、無線ルータ２００からインターネットサーバ（クラウド含み）等を介して第２の通信端末にＵＲＬ、またはメッセージを送信し、知り合いが、当該ＵＲＬまたはメッセージを選択することで、無線ルータ２００と無線通信を行なえるようにしてもよい。
【０１３４】
（通信要請情報の他の例）
以上、第１から第７の実施の形態で説明した通信要請情報について以下の情報を追加してもよい。
【０１３５】
＜暗号方式高度化＞
また、無線ルータ２００に接続した後に、暗号方式を高度な暗号化に変更してもよい。例えば、第２の通信端末４００が対応している暗号方式が、無線ルータ２００が想定している暗号レベルよりも暗号レベルが高い、もしくは低い場合がある。
具体的には、本実施の形態における暗号方式であるＷＥＰよりもＷＰＡ、ＷＰＡ２の方が、暗号レベルが高い。
【０１３６】
そのような場合を考慮して、無線ルータ２００は初期設定用として、無線通信に使用するＳＳＩＤと、無線ルータ２００が対応している暗号方式の中から低い暗号レベルの暗号化設定情報と、自身が対応している暗号方式の情報とを、初期の通信接続情報として送信する。
そして、その初期の通信接続情報を受信した第１の通信端末３００は、その初期の通信接続情報を表示装置（表示部またはタッチパネル付表示部）に表示してもよい。
【０１３７】
次いで、表示された初期の通信接続情報を撮像した第２の通信端末４００は、第２の通信端末４００自身が、その初期の通信接続情報よりも高い暗号レベルの暗号方式に対応している場合、初期の通信接続情報を利用して無線ルータ２００と接続した後、無線ルータ２００に対して、無線ルータ２００が対応している暗号方式の中から、第２の通信端末４００自身が対応している高い暗号レベルの暗号方式への変更要求を実施してもよい。
なお、その変更要求の情報には、第２の通信端末４００が対応している全ての暗号方式情報を含ませてもよい。
【０１３８】
また、第２の通信端末４００は、自身が希望する暗号方式と暗号キーとを無線ルータ２００に送信し、無線ルータ２００はその暗号方式に対応可能である場合、その暗号方式と暗号キーとを対応付けて自身に設定し、第２の通信端末４００と高い暗号レベルでの通信を確立してもよい。
また、反対に、変更要求を受け取った無線ルータ２００が、第２の通信端末４００が対応している暗号方式の中から自身が希望する暗号方式と暗号キーとを第２の通信端末４００に送信し、第２の通信端末４００はその情報を第２の通信端末４００自身に設定し、無線ルータ２００との高い暗号レベルでの通信を確立してもよい。
【０１３９】
なお、第１の通信端末３００からの通信要請情報が、制限付きの通信要請情報であった場合は、高い暗号レベルで、且つ、制限付きの通信要請情報に応じた制限をされた通信を確立する。
【０１４０】
＜過去履歴＞
また、所定のユーザは、所定のユーザの友人または知り合いに対して、過去の履歴に応じて接続させてもよい。
【０１４１】
例えば、無線ルータ２００は、過去に無線ルータ２００と接続された第２の通信端末４００のＭＡＣアドレス等の機器情報を記録しており、無線ルータ２００の無線通信圏内に第２の通信端末４００が有る場合、第１の通信端末３００の表示装置（表示部またはタッチパネル付表示部）に第２の通信端末４００が近接していることを表示させる。そして、第１の通信端末３００の表示装置（表示部またはタッチパネル付表示部）に第２の通信端末４００を接続させてもよい、または接続させない、の選択表示を示させてもよい。
【０１４２】
さらに、所定のユーザにより第２の通信端末４００を接続させないが選択された場合、第１の通信端末３００は無線ルータ２００に対して、その第２の通信端末４００を接続させない旨の信号を送信し、信号を受信した無線ルータ２００は、記録された第２の通信端末４００の機器情報に対応した第２の通信端末４００からのアクセスを遮断（ＭＡＣアドレスフィルタリングなど）する、または、第２の通信端末４００の機器情報に対応したＳＳＩＤを無効にするようにしてもよい。
【０１４３】
＜グループ設定＞
さらに、所定のユーザは、所定のユーザの友人達または知り合い達、すなわち、所定のグループに対して、専用のＳＳＩＤを発行させてもよい。
【０１４４】
具体的には、赤外線通信、近距離無線、ＷＩＦＩ、Ｂｌｕｅｔｏｏｔｈ（登録商標）などにより、複数台の第２の通信端末４００の機器情報を第１の通信端末３００に送信し、第１の通信端末３００にて、それをグループとして登録し、そのグループで使用するＳＳＩＤおよび暗号化設定情報などの通信接続情報を要求する通信要請情報を、グループとして登録された機器情報と共に無線ルータ２００に送信する。それにより無線ルータ２００から第１の通信端末３００（または、第３の通信端末）へグループで利用する通信接続情報が送信される。
【０１４５】
そして、無線ルータ２００はグループで利用する通信接続情報に関連づけて、グループとして登録された機器情報を記憶、管理し、この通信接続情報を使用し、且つ、グループとして登録された機器情報（ＭＡＣアドレスなど）を持つ通信を許可する。
【０１４６】
第１の通信端末３００（または、第３の通信端末）は、この通信接続情報を画像情報として表示し、その画像情報を第２の通信端末４００が撮像する。これにより、複数台の第２の通信端末４００に対して所定のグループ設定を行い、無線ルータ２００と通信することができる。
【０１４７】
この際、どのように接続制限を実施するのか、例えば、インターネット側のみへのアクセスを許可し、それ以外へのアクセスを禁止する。または、無線ルータの設定画面へのアクセスを禁止するなども、併せて選択可能としてもよい。
また、時間制限に関しても、所定時間の時間設定について設定可能としてもよい。
【０１４８】
（撮像手法のさらに他の例）
ＱＲコード（登録商標）を表示装置（表示部またはタッチパネル付表示部）に表示させ、それを撮像して通信接続情報を受け渡す場合について説明したが、これに限定されず、第１の通信端末３００および第２の通信端末４００に内蔵されたセンサ（加速度センサまたはジャイロセンサなど）により検知された所定の動き（例えば、通信端末を上下左右に振るなど）により、第１の通信端末３００は通信要請情報を無線ルータ２００へ送信し、第２の通信端末４００は通信接続情報の受信待ち状態とし、第１の通信端末３００と第２の通信端末４００とは互いに通信を開始し、第２の通信端末４００は無線ルータ２００から送信されてきた通信接続情報を第１の通信端末３００から受信してもよく、位置情報（ＧＰＳ）により相互位置が近接している場合に、互いに通信を開始し、無線ルータ２００から送信されてきた通信接続情報を第１の通信端末３００から受信してもよい。なお、センサによる動きの検知と位置情報とは、組み合わせてもよい。
【０１４９】
また、通信はＷＩＦＩ（Ｔｈｅ  Ｓｔａｎｄａｒｄ  ｆｏｒ  Ｗｉｒｅｌｅｓｓ  Ｆｉｄｅｌｉｔｙ）、赤外線通信など任意の通信を用いてもよい。
このことにより、例えば、お互いの通信端末が近くにいる状態で、お互いの通信端末を振るだけで、第２の通信端末４００は無線ルータ２００と通信を開始できる状態となり、ユーザの利便性を増すように形成してもよい。
【０１５０】
さらに、制限付の通信要請情報を送信することができるので、時間制限、またはローカルエリア制限等に応じた通信要請情報を送信し、夫々に応じた通信接続情報を第１の通信端末３００に表示させ、第２の通信端末４００のカメラ４１０により撮像を行なって、所定の制限付きの通信設定を容易に行なうことができる。
【０１５１】
また、第２の通信端末４００のカメラ４１０により第１の通信端末３００の表示部３２０に表示された通信接続情報を読み取る。その結果、第２の通信端末４００で容易に設定を行なうことができ、無線ルータ２００と接続することができる。
【０１５２】
さらに、第２の通信端末４００のカメラ４１０により第１の通信端末３００の表示部３２０に表示された通信接続情報を読み取る。その結果、第２の通信端末４００で容易に設定を行なうことができ、無線ルータ２００と接続することができる。
【０１５３】
また、第１の通信端末３００が無線ルータ２００と接続されていることを前提としているが、第１の通信端末３００と無線ルータ２００との接続が切れた場合、第１の通信端末３００が記録している過去の履歴において、接続経緯がある無線ルータ２００が存在する場合、自動的に選択させて通信を開始させてもよい。なお、複数の無線ルータ２００を発見した場合は、ユーザが設定した名前で選択可能なように表示させ、ユーザが選択することにより接続させてもよい。なお、第３の通信端末５００についても第１の通信端末３００と同様である。
【０１５４】
また、過去の履歴により、無線ルータ２００に自動送信対象機器とする第２の通信端末４００が記録されている場合、通信接続情報を第２の通信端末４００へ自動的に送信するか否かを第１の通信端末３００に対して確認する、または接続を選択できるように表示させてもよい。また、予め第１の通信端末３００が上記確認を行なっている場合には、第２の通信端末４００へ自動送信してもよい。
さらに、上記実施の形態においては、表示部３２０または表示装置３５０にアプリ（アプリケーション）として、上記プログラムまたは通信要請情報の種々の情報および条件を表示させてもよい。
【０１５５】
本実施の形態にかかる無線通信システム１００においては、第２の通信端末４００用の通信接続情報が自動的に送信されるので、無線ルータ２００に触れることなく第２の通信端末４００の無線設定を行なうことができる。したがって、無線ルータ２００を部屋の目立つところに配設する必要がなくなる。
また、無線ルータ２００は、通信要請情報に応じて自動的に通信接続情報を送信できるので、通信接続を容易に行なうことができる。
【０１５６】
また、所定のユーザは、第１の通信端末３００の表示部（表示装置３５０、タッチパネル付表示部３２０）を確認することにより、第２の通信端末４００と無線ルータ２００との通信状況を確認することができる。
さらに、第１の通信端末３００と接続可能に設けられた表示部または内蔵された表示部３２０、第３の通信端末５００と接続可能に設けられた画面５１０ｄまたは内蔵されたタッチパネル付表示部５２０ｅに通信接続情報が表示されるので、第２の通信端末４００の撮像部４１０を用いて撮像することにより、容易に第２の通信端末４００と、無線ルータ２００との無線接続を行なうことができる。
【０１５７】
また、ユーザが通信端末を複数所有する場合に容易に無線ルータ２００との通信設定を行なうことができる。すなわち、通信端末に同じ設定をフルコピーすることができる。
さらに、第２の通信端末４００の撮像部４１０により画像情報（バーコード、ＱＲコード（登録商標）等）の撮像を行なって容易に通信設定または所定の制限付きの通信設定を行なうことができる。
【０１５８】
本発明においては、無線ルータ２００は無線ネットワーク機器に相当し、表示部（タッチパネル付表示部）３２０、画面３５１または表示装置３５０は、表示部に相当し、第１の通信端末３００が第１の通信端末に相当し、カメラ４１０が撮像部に相当し、第２の通信端末４００が第２の通信端末に相当し、無線ＬＡＮシステム３４０が第１送信機能に相当し、無線ＬＡＮシステム４４０が第２送信機能に相当し、ＱＲコード（登録商標）が画像情報に相当する。
【０１５９】
また、本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【０１６０】
１００，１００ａ，〜，１００ｆ  無線通信システム
２００  無線ルータ
３００，３００ａ，〜，３００ｆ  第１の通信端末
４００，４００ａ，〜，４００ｆ  第２の通信端末
５００ｃ，５００ｄ，５００ｅ  第３の通信端末
６００  ＬＡＮ
【図１】
2014060624.tif 000003
【図２】
2014060624.tif 000004
【図３】
2014060624.tif 000005
【図４】
2014060624.tif 000006
【図５】
2014060624.tif 000007
【図６】
2014060624.tif 000008
【図７】
2014060624.tif 000009
【図８】
2014060624.tif 000010
【図９】
2014060624.tif 000011
【図１０】
2014060624.tif 000012
【図１１】
2014060624.tif 000013
【図１２】
2014060624.tif 000014
【図１３】
2014060624.tif 000015
【図１４】
2014060624.tif 000016